(57)【要約】【課題】報知を行う際の視認性を向上できる空気調和機を提供する。【解決手段】空気調和機１００は、吹出部２００と、報知部５０とを備える。吹出部２００は、空気を吹き出す。報知部５０は、吹出部２００と異なる位置に配置され、光によって報知を行う。報知部５０は、発光部５１と、報知領域５５とを有する。報知領域５５は、発光部５１の発光した光の一部ＬＴ１を出射する領域である。吹出部２００は、発光部５１の発光した光の一部ＬＴ２を出射する。【選択図】図４
2020204418.tif 000002
【特許請求の範囲】
【請求項１】
空気を吹き出す吹出部と、
前記吹出部と異なる位置に配置され、光によって報知を行う報知部と
を備え、
前記報知部は、発光部と、報知領域とを有し、
前記報知領域は、前記発光部の発光した光の一部を出射する領域であり、
前記吹出部は、前記発光部の発光した光の一部を出射する、空気調和機。
【請求項２】
前記吹出部は、
前記空気を吹き出す吹出口と、
前記吹出口よりも前記空気の流れの上流に位置する光出射領域と
を有し、
前記光出射領域は、前記発光部の発光した前記光の一部を出射する領域である、請求項１に記載の空気調和機。
【請求項３】
前記吹出部は、前記吹出口から吹き出される前記空気の吹出方向を変更する風向変更板をさらに備え、
前記風向変更板は、前記光出射領域に対向し、黒色よりも白色に近い灰色、白色、又は、透明である、請求項２に記載の空気調和機。
【請求項４】
前記光出射領域は、水平方向に沿って直線状に延びる開口である、請求項２又は請求項３に記載の空気調和機。
【請求項５】
前記報知部は、前記発光部の発光した光の一部を、前記光出射領域の側に反射する反射部材をさらに有する、請求項２から請求項４のいずれか１項に記載の空気調和機。
【請求項６】
前記吹出口は、前記報知領域が向いている方向と異なる方向を向いている、請求項２から請求項５のいずれか１項に記載の空気調和機。
【発明の詳細な説明】
【技術分野】
【０００１】
本発明は、空気調和機に関する。
【背景技術】
【０００２】
特許文献１に記載された送風装置は、筐体の上部前面に開口する吹出口を有する。また、送風装置は、筐体の上面に設けられる操作パネルを備える。操作パネルは加飾シートを含む。加飾シートには、スイッチを押圧する押圧領域が設けられる。
【０００３】
加飾シートは、ヘアライン層と、第１スモーク層と、第２スモーク層と、反射層とを含む。ヘアライン層は光を透過する。第１スモーク層は、半透明であり、ヘアライン層の裏面に形成されるとともに押圧領域に開口部を有する。第２スモーク層は、半透明であり、開口部に配して第１スモーク層よりも可視光線の透過率が高い。反射層は、第１スモーク層及び第２スモーク層の裏面に形成されて、ヘアライン層から入射した光を反射する。
【０００４】
従って、目視方向によって、押圧領域と、押圧領域以外の領域とのコントラストが変化する。その結果、操作パネルから離れたユーザー、又は、床面に着座したユーザーは、押圧領域を容易に識別することができて、操作パネル及び送風装置の利便性を向上できる。
【先行技術文献】
【特許文献】
【０００５】
【特許文献１】特開２０１６−１７１００９号公報
【発明の概要】
【発明が解決しようとする課題】
【０００６】
しかしながら、特許文献１に記載された送風装置では、押圧領域と、押圧領域以外の領域とのコントラストを変化させているに過ぎない。加えて、押圧領域の位置が固定されている。従って、操作パネルから離れたユーザー、又は、床面に着座したユーザーにとって、押圧領域の視認性が必ずしも十分ではない場合がある。換言すれば、押圧領域の位置を報知する際の視認性が必ずしも十分ではない場合がある。
【０００７】
本発明の目的は、報知を行う際の視認性を向上できる空気調和機を提供することにある。
【課題を解決するための手段】
【０００８】
本発明の一局面によれば、空気調和機は、吹出部と、報知部とを備える。吹出部は、空気を吹き出す。報知部は、前記吹出部と異なる位置に配置され、光によって報知を行う。前記報知部は、発光部と、報知領域とを有する。前記報知領域は、前記発光部の発光した光の一部を出射する領域である。前記吹出部は、前記発光部の発光した光の一部を出射する。
【発明の効果】
【０００９】
本発明によれば、報知を行う際の視認性を向上できる空気調和機を提供できる。
【図面の簡単な説明】
【００１０】
【図１】本発明の実施形態に係る空気調和機を示す側面図である。
【図２】本実施形態に係る空気調和機を示す側面断面図である。
【図３】本実施形態に係る空気調和機の上部を示す斜視図である。
【図４】本実施形態に係る空気調和機の上部を示す側面断面図である。
【図５】本実施形態に係る空気調和機の上部を示す正面図である。
【図６】本実施形態の第１変形例に係る空気調和機の上部を示す側面断面図である。
【図７】本実施形態の第２変形例に係る空気調和機の上部を示す側面断面図である。
【発明を実施するための形態】
【００１１】
以下、本発明の実施形態について、図面を参照しながら説明する。なお、図中、同一または相当部分については同一の参照符号を付して説明を繰り返さない。また、図面には、説明の便宜のため、三次元直交座標系（Ｘ、Ｙ、Ｚ）を適宜記載している。そして、図中、Ｘ軸及びＹ軸は水平方向に平行であり、Ｚ軸は鉛直方向に平行である。
【００１２】
図１〜図５を参照して、本発明の実施形態に係る空気調和機１００を説明する。空気調和機１００は空気調和を行う。本実施形態では、空気調和機１００は送風装置である。なお、空気調和機１００が空気を吹き出す限りにおいては、空気調和機１００の種類は特に限定されない。例えば、空気調和機１００は、空気清浄機、加湿器、又は、イオン発生装置である。
【００１３】
まず、図１を参照して、空気調和機１００を説明する。図１に示すように、空気調和機１００は、筐体１を備える。筐体１は、中空の部材である。筐体１は、例えば、樹脂により形成される中空の部材である。
【００１４】
筐体１は、第１筐体１０と、第２筐体２０とを含む。第１筐体１０には、第２筐体２０が着脱自在に取り付けられる。第２筐体２０は、第１筐体１０の外側に位置する。第１筐体１０に第２筐体２０が取り付けられることで、第１筐体１０の一部が第２筐体２０によって覆われる。なお、第１筐体１０と第２筐体２０とは、一体の部材でもよい。
【００１５】
筐体１は、把持部３をさらに含む。把持部３は、筐体１の外面の一部を凹ませた形状を有する。ユーザーは、把持部３を把持して空気調和機１００を持ち運ぶ。
【００１６】
筐体１は、吸気口Ａを有する。吸気口Ａは、筐体１の内部（以下、「内部Ｍ」と記載する。）と外部とを連通する。吸気口Ａは、筐体１の下部１２に位置している。
【００１７】
空気調和機１００は吹出部２００をさらに備える。吹出部２００は、空気を吹き出す。吹出部２００は、筐体１に配置される。本実施形態では、吹出部２００は、筐体１の上部１１に配置される。
【００１８】
吹出部２００は吹出口Ｂを有する。吹出口Ｂは空気を吹き出す。吹出口Ｂは、筐体１の内部Ｍと外部とを連通する。吹出口Ｂは、筐体１の上部１１に配置される。
【００１９】
吹出部２００は、風向変更板９をさらに有していてもよい。風向変更板９は、吹出口Ｂから吹き出される空気の吹出方向（以下、「吹出方向Ｈ」と記載する。）を変更する。風向変更板９は、例えば、ルーバーである。
【００２０】
次に、図２を参照して、空気調和機１００の内部Ｍを説明する。図２は、空気調和機１００を示す側面断面図である。図２に示すように、空気調和機１００は、送風部６をさらに備える。空気調和機１００は、照射部４と、浄化部５とをさらに備えていてもよい。照射部４、浄化部５、及び送風部６は、筐体１の内部Ｍに配置される。
【００２１】
照射部４は、浄化部５に向けて光を照射する。照射部４は、例えば、ＬＥＤ（Ｌｉｇｈｔ  Ｅｍｉｔｔｉｎｇ  Ｄｉｏｄｅ）のような光源を含む。
【００２２】
浄化部５は、空気を浄化する。浄化部５は、照射部４の上方に配置される。浄化部５は、例えば、光触媒フィルターを含む。光触媒フィルターに含まれる光触媒は、照射部４から光を照射されることで触媒作用を生成する。その結果、空気が浄化部５の光触媒フィルターを通過する際、空気中の臭い成分が分解される。臭い成分は、例えば、アンモニア、メチルメルカプタン、トリメチルアミン、及び／又は、ノネナールである。
【００２３】
浄化部５は、物理吸着型フィルター、及び／又は、化学吸着型フィルターを含み、物理吸着型フィルター、及び／又は、化学吸着型フィルターによって臭い成分を吸着してもよい。光触媒フィルターが用いられない場合、空気調和機１００は照射部４を備えてなくてもよい。
【００２４】
特に、本実施形態では、浄化部５は、空気の浄化の第１例として、空気中の臭い成分を低減させる。ただし、浄化部５は、空気の浄化の第２例として、空気中の塵埃を低減させてもよい。この場合、浄化部５は、例えば、ＨＥＰＡ（Ｈｉｇｈ  Ｅｆｆｉｃｉｅｎｃｙ  Ｐａｒｔｉｃｕｌａｔｅ  Ａｉｒ）フィルターを含む。
【００２５】
筐体１の内部Ｍには、風路Ｎが形成される。本実施形態では、風路Ｎは、上下方向に沿って延びる。風路Ｎは、吸気口Ａと吹出口Ｂとに連通する。風路Ｎ上には、浄化部５と、送風部６とが配置される。なお、図２では、理解の便宜のために、吹出口Ｂを破線で示している。
【００２６】
送風部６は、風（空気の流れ）を生成する。送風部６は、例えば、ファンと、ファンを回転させる駆動源とを含む。駆動源は、例えば、モーターを含む。
【００２７】
空気調和機１００は、イオン供給部７をさらに備えていてもよい。イオン供給部７は、筐体１の内部Ｍに配置される。イオン供給部７は、風路Ｎ上に配置される。イオン供給部７は、送風部６の下流に配置される。イオン供給部７は、風路Ｎを流れる風にイオンを供給する。イオンは、例えば、正イオン、及び負イオンのうちの少なくとも１つのイオンを含む。
【００２８】
空気調和機１００は、整流部８をさらに備えていてもよい。整流部８及び風向変更板９は、筐体１の内部Ｍに配置される。整流部８及び風向変更板９は、風路Ｎ上に配置される。
【００２９】
整流部８は、送風部６により送られる風をガイドする。整流部８は、イオン供給部７の下流に配置される。整流部８は、筐体１に固定される。
【００３０】
風向変更板９は、整流部８から流れる風をガイドする。風向変更板９は、整流部８の下流に配置される。風向変更板９は、風路Ｎ上において、吹出口Ｂの直前に配置される。風向変更板９は、筐体１に回動可能に取り付けられる。筐体１に対する風向変更板９の回動角度が変更されることで、吹出口Ｂから吹き出される風の吹出方向Ｈが変更される。なお、風向変更板９は、吹出口Ｂから、空気調和機１００の外部に張り出していてもよい。
【００３１】
吹出部２００は、風が通過する吹出空間ＳＰを有する。吹出空間ＳＰは、筐体１の内部Ｍに位置している。具体的には、吹出空間ＳＰは、筐体１の内部Ｍにおいて、風路Ｎの最上流に位置する空間である。そして、吹出空間ＳＰは吹出口Ｂに連通する。従って、風は、吹出空間ＳＰを通過して吹出口Ｂから吹き出される。本実施形態では、吹出空間ＳＰは、整流部８と吹出口Ｂとの間の空間を示す。風向変更板９は、吹出空間ＳＰに配置される。
【００３２】
次に、図３を参照して、空気調和機１００の上部を説明する。図３は、空気調和機１００の上部を示す斜視図である。図３に示すように、空気調和機１００は、報知部５０と、操作部５２とをさらに備える。操作部５２は、ユーザーからの操作を受け付ける。操作部５２は、例えば、操作キーを含む。図３の例では、操作部５２は、空気調和機１００の上面１０７ａに配置されている。なお、操作部５２がユーザーからの操作を受け付けることができる限りにおいては、操作部５２の位置は特に限定されない。
【００３３】
報知部５０は、吹出部２００と異なる位置に配置される。報知部５０は、ユーザーに対して、光によって報知を行う。
【００３４】
具体的には、報知部５０による報知の内容は、空気調和機１００に関連する内容である。例えば、報知の内容は、空気調和機１００の運転状況を表す内容、又は、空気調和機１００のユーザーに対する通知を表す内容である。空気調和機１００の運転状況を表す内容は、例えば、空気調和機１００に対して現在設定されているモード若しくは風量、又は、タイマー表示である。空気調和機１００のユーザーに対する通知を表す内容は、例えば、空気調和機１００の運転方法（例えば、オン／オフ又はモード）の提案、空気調和機１００の環境情報、サービス情報（例えば、使用方法又は販促）、空気調和機１００のエラー情報、空気調和機１００の不具合情報、又は、空気調和機１００のメンテナンス情報である。なお、報知の内容は、特に限定されず、空気調和機１００に関連する内容でなくてもよい。
【００３５】
特に、報知部５０による報知の内容としては、ユーザーに直ちに認識してもらうべき緊急情報としての空気調和機１００のエラー情報又は不具合情報が好ましい。従って、この場合、報知部５０は、ユーザーに対して、光によって、空気調和機１００にエラー又は不具合が発生したことを報知する。
【００３６】
報知部５０は報知領域５５を有する。報知領域５５は、空気調和機１００の上面１０７ａに配置される。図３の例では、報知領域５５は、操作部５２と異なる位置に位置している。報知領域５５からは、報知のための光が出射される。つまり、報知ための光は報知領域５５を通過する。具体的には、報知ための光は報知領域５５を透過する。なお、報知領域５５が光を出射できる限りにおいては、報知領域５５の位置は特に限定されない。例えば、報知領域５５は、操作部５２上に位置していてもよいし、空気調和機１００の上面１０７ａ全体であってもよいし、空気調和機１００の上面１０７ａ全体から操作部５２を除いた領域であってもよい。なお、報知領域５５は開口であってもよい。
【００３７】
第１筐体１０は、筐体本体１０１と、外部天板１０７とを含む。筐体本体１０１は中空の部材である。外部天板１０７は、筐体本体１０１の上部に配置される。外部天板１０７の上面が、空気調和機１００の上面１０７ａである。本実施形態では、報知領域５５は、外部天板１０７の一部として構成されている。なお、報知領域５５は、外部天板１０７とは別部材の一部として構成されていてもよい。
【００３８】
次に、図４を参照して、空気調和機１００の報知部５０及び吹出部２００を説明する。図４は、空気調和機１００の上部を示す側面断面図である。図４に示すように、第１筐体１０は内部天板１０５をさらに含む。内部天板１０５は、筐体本体１０１の上部開口を塞ぐ。内部天板１０５は、外部天板１０７と鉛直方向に重なる。
【００３９】
報知部５０は、発光部５１をさらに有する。発光部５１は光を発光する。発光部５１は、例えば、光を点滅させて報知を行う。具体的には、発光部５１は、光を点滅させて、空気調和機１００の状態を報知する。例えば、発光部５１は、光を点滅させて、空気調和機１００にエラーが発生したことを報知する。
【００４０】
発光部５１の光軸は報知領域５５に交差する。本実施形態では、発光部５１の光軸は報知領域５５に略直交する。報知領域５５は、発光部５１の発光した光の一部ＬＴ１（以下、「光ＬＴ１」と記載する場合がある。）を出射する領域である。
【００４１】
発光部５１は、例えば、発光素子を含む。発光素子は、例えば、ＬＥＤ（Ｌｉｇｈｔ  Ｅｍｉｔｔｉｎｇ  Ｄｉｏｄｅ）である。発光部５１の発光した光ＬＴ１は報知領域５５に向かって進行する。その結果、発光部５１の発光した光ＬＴ１は、報知領域５５から空気調和機１００の外部に向かって出射される。
【００４２】
報知部５０は、光ガイド５３をさらに有していてもよい。光ガイド５３は報知領域５５に対向している。光ガイド５３は、発光部５１の発光した光ＬＴ１を報知領域５５に向かってガイドする。具体的には、光ガイド５３は略筒形状（例えば、略円筒形状）を有する。また、光ガイド５３は、報知領域５５に向かって末広がりに構成される。光ガイド５３の大口径側が報知領域５５に対向している。光ガイド５３の小口径側は、光ガイド５３の大口径側よりも報知領域５５から離れた位置に位置する。本実施形態では、光ガイド５３は、内部天板１０５の一部として構成される。なお、光ガイド５３は、内部天板１０５と別部材であってもよい。
【００４３】
発光部５１の一部又は全部は、光ガイド５３の内部に配置される。具体的には、発光部５１の一部又は全部は、光ガイド５３の小口径側の内部に配置される。光ガイド５３は、切欠５３ａを有する。切欠５３ａは、光ガイド５３の小口径側に位置している。そして、発光部５１の一部は、切欠５３ａから露出している。従って、発光部５１の出射した光の一部ＬＴ２が、切欠５３ａを通って出射される。
【００４４】
空気調和機１００は基板６０をさらに備える。基板６０は第１筐体１０の内部に設置される。そして、発光部５１は基板６０に接続される。
【００４５】
また、第１筐体１０は保持部材１０３をさらに備える。保持部材１０３と筐体本体１０１とは、風向変更板９を回動可能に保持する。具体的には、風向変更板９は回動軸９ａを有する。そして、保持部材１０３と筐体本体１０１とは、風向変更板９が回動可能なように回動軸９ａを保持する。
【００４６】
吹出部２００の吹出口Ｂは、空気調和機１００の内部空間である吹出空間ＳＰと空気調和機１００の外部空間との境界領域を示す。なお、図４では、理解の便宜のために、吹出口Ｂを破線で示している。
【００４７】
吹出部２００は、ガイドＧＤをさらに有する。ガイドＧＤは、空気を吹出口Ｂに向かってガイドする。ガイドＧＤは吹出空間ＳＰに面している。具体的には、吹出空間ＳＰは、ガイドＧＤと整流部８と吹出口Ｂとで囲まれた空間である。ガイドＧＤは、側面断面視において、吹出口Ｂの側の反対側に向かって凸状に湾曲している。本実施形態では、ガイドＧＤは、第１筐体１０の内面部によって構成されている。具体的には、ガイドＧＤは、筐体本体１０１の一部と保持部材１０３の一部とによって構成されている。なお、ガイドＧＤは、単一の部材によって構成されていてもよい。
【００４８】
吹出部２００は、発光部５１の発光した光の一部ＬＴ２（以下、「光ＬＴ２」と記載する場合がある。）を吹出口Ｂの外部に向けて出射する。つまり、発光部５１の光は、報知部５０の報知領域５５から出射されるだけでなく、吹出部２００からも出射される。従って、報知領域だけから光が出射される場合と比較して、発光部５１の光がユーザーの眼に入り易くなる。その結果、本実施形態によれば、発光部５１の光によって報知を行う際のユーザーの視認性を向上できる。
【００４９】
例えば、報知領域５５が見え難い位置若しくは見えない位置に位置するユーザー、又は、報知領域５５が見え難い姿勢若しくは見えない姿勢をとったユーザーであっても、吹出部２００から出射する光ＬＴ２によって、報知が行われていることを認識できる。
【００５０】
例えば、吹出部２００は、光ＬＴ２が風向変更板９及び／又はガイドＧＤで反射された後に、光ＬＴ２を吹出口Ｂから出射する。なお、吹出部２００は、光ＬＴ２を吹出口Ｂから直接出射してもよい。例えば、吹出部２００が風向変更板９を有しない場合、吹出部２００は、光ＬＴ２を吹出口Ｂから直接出射する。
【００５１】
具体的には、吹出部２００は、光出射領域ＷＤをさらに有する。そして、発光部５１の発光した光ＬＴ２は、光ガイド５３の切欠５３ａを通って光出射領域ＷＤに向かう。従って、光出射領域ＷＤから、発光部５１の発光した光ＬＴ２が出射される。つまり、光出射領域ＷＤは、発光部５１の発光した光ＬＴ２を出射する領域である。そして、光出射領域ＷＤから出射した光ＬＴ２は、吹出口Ｂから出射する。具体的には、光出射領域ＷＤから出射した光ＬＴ２は、風向変更板９及び／又はガイドＧＤで反射されて、吹出口Ｂから出射する。従って、本実施形態によれば、報知領域だけから光が出射される場合と比較して、発光部５１の光によって報知を行う際のユーザーの視認性を向上できる。
【００５２】
特に、本実施形態では、光出射領域ＷＤは、吹出口Ｂよりも空気の流れの上流に位置する。つまり、光出射領域ＷＤは吹出口Ｂの奥に位置している。従って、光出射領域ＷＤの周囲が吹出口Ｂの外部（空気調和機１００の設置された場所）よりも暗い場合がある。その結果、光出射領域ＷＤから出射する光ＬＴ２が目立ち、報知のための光ＬＴ２の視認性を更に向上できる。
【００５３】
また、本実施形態では、吹出口Ｂから出射される光ＬＴ２の向きは、報知領域５５から出射される光ＬＴ１の向きと異なることが好ましい。つまり、吹出口Ｂは、報知領域５５が向いている方向と異なる方向を向いていることが好ましい。この好ましい例によれば、吹出口Ｂと報知領域５５とで、異なる方向に光を出射でき、ユーザーの位置及び姿勢に視認性が依存することを抑制できる。その結果、吹出口が報知領域と略同じ方向を向いている場合と比較して、発光部５１の光によって報知を行う際のユーザーの視認性を更に向上できる。
【００５４】
なお、吹出口Ｂ及び報知領域５５の位置は、特に限定されない。例えば、報知領域５５が空気調和機１００の側面に配置され、吹出口Ｂが空気調和機１００の上面１０７ａに配置されていてもよい。また、吹出口Ｂの形状は、空気を吹き出すことができ、かつ、光ＬＴ２を出射できる限りにおいては、特に限定されない。例えば、吹出口Ｂは、空気調和機１００の側面の全周にわたって形成されていてもよい。
【００５５】
さらに、本実施形態では、発光部５１は報知領域５５の真下に位置する。従って、発光部５１は、報知領域５５に対して光ＬＴ１をより効率的に入射させることができる。なお、発光部５１が光ＬＴ１及び光ＬＴ２をそれぞれ報知領域５５及び光出射領域ＷＤに入射できる限りにおいては、発光部５１の位置は特に限定されない。
【００５６】
さらに、本実施形態では、光ガイド５３が切欠５３ａを有するため、発光部５１の光ＬＴ２を光出射領域ＷＤに効果的に入射させることができる。切欠５３ａは、発光部５１に対して、光出射領域ＷＤの位置する側に位置する。
【００５７】
また、例えば、光ガイド５３は、黒色よりも白色に近い灰色で塗装されているか、黒色よりも白色に近い灰色の素材で構成されていることが好ましい。発光部５１の発光した光ＬＴ２を反射し易く、効果的に光ＬＴ２を光出射領域ＷＤに入射できるからである。同様に、ガイドＧＤは、黒色よりも白色に近い灰色で塗装されているか、黒色よりも白色に近い灰色の素材で構成されていることが好ましい。
【００５８】
さらに、例えば、光ガイド５３は、白色で塗装されているか、白色の素材で構成されていることが更に好ましい。発光部５１の発光した光ＬＴ２を更に反射し易く、更に効果的に光ＬＴ２を光出射領域ＷＤに入射できるからである。同様に、ガイドＧＤは、白色で塗装されているか、白色の素材で構成されていることが好ましい。
【００５９】
また、本実施形態では、光出射領域ＷＤは、ガイドＧＤに配置される。そして、光出射領域ＷＤは開口である。従って、光出射領域ＷＤは、光ＬＴ２の光量を低減させることなく、光ＬＴ２を出射できる。
【００６０】
具体的には、光出射領域ＷＤは、筐体本体１０１と保持部材１０３との間隙である。つまり、光出射領域ＷＤは、２つの部材の間隙である。なお、光出射領域ＷＤは、単一の部材によって構成されるガイドＧＤに設けられていてもよい。また、光出射領域ＷＤは、光が通過できる限りにおいては、開口でなくてもよく、光を透過する素材によって構成されていてもよい。
【００６１】
さらに、本実施形態では、風向変更板９は、光出射領域ＷＤに対向する。そして、風向変更板９は、光出射領域ＷＤが出射した光ＬＴ２を反射する。例えば、風向変更板９は光ＬＴ２を拡散反射する。特に、風向変更板９は、黒色よりも白色に近い灰色で塗装されているか、黒色よりも白色に近い灰色の素材で構成されていることが好ましい。光出射領域ＷＤの出射した光を反射し易く、光を吹出口Ｂから効果的に出射できるからである。また、風向変更板９は、白色で塗装されているか、白色の素材で構成されていることが更に好ましい。光出射領域ＷＤの出射した光を更に反射し易く、光を吹出口Ｂから更に効果的に出射できるからである。
【００６２】
また、風向変更板９は、光を透過することがさらに好ましい。光出射領域ＷＤの出射した光を吹出口Ｂから更に効果的に出射できるからである。この好ましい例では、風向変更板９は、例えば、透明である。本明細書において、「透明」は、無色透明であってもよいし、有色透明であってもよいし、半透明であってもよい。
【００６３】
次に、図５を参照して、光出射領域ＷＤを説明する。図５は、空気調和機１００の上部を示す正面図である。図５では、説明の便宜のため、風向変更板９を省略している。
【００６４】
図５に示すように、光出射領域ＷＤは、水平方向ＨＤに沿って直線状に延びる開口である。従って、本実施形態によれば、発光部５１の発光した光ＬＴ２を水平方向ＨＤに広がるように出射できる。その結果、光ＬＴ２の視認性を更に向上できる。なお、光出射領域ＷＤの形状は、光ＬＴ２が通過できる限りにおいては、特に限定されない。また、光出射領域ＷＤは、設計者又は製造者によって意図して形成されていてもよいし、光出射領域ＷＤが部材の隙間である場合のように、設計者又は製造者が意図することなく形成されていてもよい。
【００６５】
（第１変形例）
図６を参照して、本実施形態の第１変形例に係る空気調和機１００を説明する。第１変形例では、報知部５０の光ガイド５３Ｘが切欠５３ａを有していない点で、第１変形例は図４を参照して説明した本実施形態と主に異なる。以下、第１変形例が本実施形態と異なる点を主に説明する。
【００６６】
図６は、本実施形態の第１変形例に係る空気調和機１００の上部を示す側面断面図である。図６に示すように、第１変形例では、報知部５０の光ガイド５３Ｘは、図４に示す切欠５３ａを有していない。従って、発光部５１の発光した光の一部ＬＴ２（以下、「光ＬＴ２」と記載する場合がある。）は、光ガイド５３Ｘを透過して光出射領域ＷＤに入射するか、又は、光ガイド５３Ｘの小口径の開口から光出射領域ＷＤに入射するかする。
【００６７】
そして、光ＬＴ２は、光出射領域ＷＤから出射されて、風向変更板９に反射されるか、又は、風向変更板９を透過するかして、吹出口Ｂから出射する。従って、第１変形例によれば、報知領域だけから光が出射される場合と比較して、発光部５１の光によって報知を行う際のユーザーの視認性を向上できる。
【００６８】
（第２変形例）
図７を参照して、本実施形態の第２変形例に係る空気調和機１００を説明する。第２変形例では、報知部５０が反射部材７０を有する点で、第２変形例は図４を参照して説明した本実施形態と主に異なる。以下、第２変形例が本実施形態と異なる点を主に説明する。
【００６９】
図７は、本実施形態の第２変形例に係る空気調和機１００の上部を示す側面断面図である。図７に示すように、報知部５０の発光部５１の発光した光の一部ＬＴ２（以下、「光ＬＴ２」と記載する場合がある。）は、光出射領域ＷＤに入射する。加えて、第２変形例では、報知部５０は反射部材７０をさらに有する。そして、反射部材７０は、発光部５１の発光した光の一部ＬＴ３（以下、「光ＬＴ３」と記載する場合がある。）を、光出射領域ＷＤの側に反射する。従って、光出射領域ＷＤに入射する光の光量を増加できる。その結果、第２変形例によれば、光出射領域ＷＤから出射して、吹出口Ｂから出射する光の光量が増加し、ユーザーの視認性を更に向上できる。
【００７０】
具体的には、反射部材７０は、光ＬＴ３を光出射領域ＷＤに向けて反射する。反射部材７０は、例えば、光ＬＴ３を拡散反射する。反射部材７０は、例えば、光ＬＴ３を鏡面反射することが好ましい。反射部材７０は、例えば、アルミ箔又は反射鏡によって構成される。
【００７１】
反射部材７０は、発光部５１に対して、光出射領域ＷＤの位置する側の反対側に配置される。また、報知部５０の光ガイド５３Ｙは、切欠５３ａに加えて、切欠５３ｂをさらに有する。切欠５３ｂは、発光部５１に対して、光出射領域ＷＤの位置する側の反対側に位置する。切欠５３ｂは、光ガイド５３の小口径側に位置している。切欠５３ｂは切欠５３ａに対向している。そして、発光部５１の一部は、切欠５３ａ及び切欠５３ｂから露出している。従って、発光部５１の出射した光の一部ＬＴ２が、切欠５３ａを通って出射されるとともに、発光部５１の出射した光の一部ＬＴ３が、切欠５３ｂを通って出射される。
【００７２】
そして、切欠５３ｂから出射された光ＬＴ３は、光出射領域ＷＤに入射する。一方、切欠５３ｂから出射された光ＬＴ３は、反射部材７０に入射して、反射部材７０によって反射される。そして、光ＬＴ３は、光出射領域ＷＤに入射する。従って、光出射領域ＷＤには、光ＬＴ２及び光ＬＴ３が入射する。さらに、光ＬＴ２及び光ＬＴ３が、光出射領域ＷＤから出射されて、吹出口Ｂから出射される。従って、第２変形例によれば、反射部材７０を設けない場合と比較して、吹出口Ｂから出射する光の光量を増加できる。その結果、ユーザーの視認性を更に向上できる。
【００７３】
以上、図面を参照して本発明の実施形態について説明した。ただし、本発明は、上記の実施形態に限られるものではなく、その要旨を逸脱しない範囲で種々の態様において実施できる。また、上記の実施形態に開示される複数の構成要素は適宜改変可能である。例えば、ある実施形態に示される全構成要素のうちのある構成要素を別の実施形態の構成要素に追加してもよく、または、ある実施形態に示される全構成要素のうちのいくつかの構成要素を実施形態から削除してもよい。
【００７４】
また、図面は、発明の理解を容易にするために、それぞれの構成要素を主体に模式的に示しており、図示された各構成要素の厚さ、長さ、個数、間隔等は、図面作成の都合上から実際とは異なる場合もある。また、上記の実施形態で示す各構成要素の構成は一例であって、特に限定されるものではなく、本発明の効果から実質的に逸脱しない範囲で種々の変更が可能であることは言うまでもない。
【産業上の利用可能性】
【００７５】
本発明は、空気調和機を提供するものであり、産業上の利用可能性を有する。
【符号の説明】
【００７６】
９    風向変更板
５０    報知部
５１    発光部
５５    報知領域
５２    操作部
７０    反射部材
１００    空気調和機
２００    吹出部
Ｂ    吹出口
ＷＤ    光出射領域
【図１】
2020204418.tif 000003
【図２】
2020204418.tif 000004
【図３】
2020204418.tif 000005
【図４】
2020204418.tif 000006
【図５】
2020204418.tif 000007
【図６】
2020204418.tif 000008
【図７】
2020204418.tif 000009